(57)【要約】【課題】  装着筒３から起立する案内筒４内から、ステム上端のノズル付き押下げヘッド８上部を突出させ、それ等押下げヘッドおよびガイド筒外面へ縦割溝14付きのカバーキャップ11を、その縦割溝にノズル７を通し外方突出させて嵌合させ、その縦割溝下部を閉塞する縦形ポンプ式液体噴出容器において、その縦割溝14下部の閉塞を容易に行えるよう設けた。【解決手段】  上記縦割溝14を有するカバーキャップの周壁13下部を、該周壁下部外面へ嵌合させた筒状シュリンクフィルム21を熱収縮させ緊縛させることで行った。【選択図】  図１
2005104493.tif 000002
【特許請求の範囲】
【請求項１】
装着筒３から起立する案内筒４内へ、ステム上端のノズル付き押下げヘッド８を、該ヘッド上部を上方突出させて位置させ、又頂板12外周から周壁13を垂下して形成したカバーキャップ11を、該カバーキャップ周壁が有する下端面開口の縦割溝14に上記ノズルを通し前方突出させて、押下げヘッド８および案内筒４外面へ嵌合させ、更に上記縦割溝下方部分へ、破断部付き溝閉塞手段を付設したカバーキャップ付き縦形ポンプ式の液体噴出容器において、
上記溝閉塞を、カバーキャップ11の周壁13下部外面へ遊嵌しかつ加熱収縮で上記周壁13下部外面を緊縛させた筒状シュリンクフィルム21で形成した
ことを特徴とする液体噴出容器。
【請求項２】
上記筒状シュリンクフィルム21の上下端面一部を摘み片22とすると共に、該摘み片の側面基端からフィルム上下方向へミシン目状破断線23を縦設させた
ことを特徴とする、請求項１記載の液体噴出容器。
【請求項３】
上記案内筒４外面とカバーキャップ周壁13の内面とに凹凸の嵌合手段を周設した
ことを特徴とする、請求項１又は２記載の液体噴出容器。
【請求項４】
上記カバーキャップの縦割溝14上端部から、断面逆Ｕ字形状の覆合板16を外方突出させて、該覆合板16内へ、上記縦割溝内を通って外方突出するノズル部分を嵌合させた
ことを特徴とする、請求項１、２、又は３記載の液体噴出容器。
【発明の詳細な説明】
【技術分野】
【０００１】
本発明は、カバーキャップ付きの液体噴出容器に関する。
【背景技術】
【０００２】
この種容器として、図３が示すように容器体１の口頸部外面へ嵌合させた装着筒３上端の内向きフランジから案内筒４を起立すると共に、容器体内へ垂設されたシリンダ内から、上方付勢されて案内筒内を通り起立するステム上端へノズル付き押下げヘッド８を嵌合させ、又該押下げヘッドおよび上記案内筒外面へ、頂板外周から周壁を垂下して形成したカバーキャップ11を、該カバーキャップ周壁へ縦設した下端面開口の縦割溝14内へ上記ノズル７を通し外方突出させた状態で嵌合させ、更にノズル下方の割溝部分へは破断部付き溝閉塞手段17を付設した容器が知られている（特許文献１）。
【特許文献１】特開２００３−１６５５６２号公報
【発明の開示】
【発明が解決しようとする課題】
【０００３】
上記容器のカバーキャップは、不注意なヘッドの押下げによる液体噴出を防止するが、該カバーキャップ周壁にはノズル挿通用の下端面開口の縦割溝が縦設してあるため、製品輸送時他物が当るとその縦割溝が拡がることでカバーキャップが外れることがあり、そのため破断部付き溝閉塞手段を施して上記カバーキャップの外れを防止し、又その溝閉塞手段の有無で収納液未使用状態の確認もできるよう設けている。
【０００４】
しかし上記溝閉塞手段は縦割溝の一方側縁から第１破断線を介して帯板を突出し、該帯板他端へ付設した突子を割溝他側に穿設した小孔内へ抜出し不能に嵌合させるものであり、その閉塞手段除去は上記第１破断線を切断すると共に突子周囲に設けた第２破断線切断で上記帯板を除去できるよう設けているから、カバーキャップの構造が複雑となる。
【０００５】
本発明は上記溝閉塞手段をより簡易に行えるよう設けたものである。
【課題を解決するための手段】
【０００６】
第１の手段として装着筒３から起立する案内筒４内へ、ステム上端のノズル付き押下げヘッド８を、該ヘッド上部を上方突出させて位置させ、又頂板12外周から周壁13を垂下して形成したカバーキャップ11を、該カバーキャップ周壁が有する下端面開口の縦割溝14に上記ノズルを通し前方突出させて、押下げヘッド８および案内筒４外面へ嵌合させ、更に上記縦割溝下方部分へ、破断部付き溝閉塞手段を付設したカバーキャップ付き縦形ポンプ式の液体噴出容器において、
上記溝閉塞を、カバーキャップ11の周壁13下部外面へ遊嵌しかつ加熱収縮で上記周壁13下部外面を緊縛させた筒状シュリンクフィルム21で形成した。
【０００７】
第２の手段として上記第１の手段を有すると共に上記筒状シュリンクフィルム21の上下端面一部を摘み片22とすると共に、該摘み片の側面基端からフィルム上下方向へミシン目状破断線23を縦設させた。
【０００８】
第３の手段として、上記第１又は第２の手段を有すると共に上記案内筒４外面とカバーキャップ周壁13の内面とに凹凸の嵌合手段を周設した。
【０００９】
第４の手段として、上記第１、第２又は第３の手段を有すると共に上記カバーキャップの縦割溝14上端部から、断面逆Ｕ字形状の覆合板16を外方突出させて、該覆合板16内へ、上記縦割溝内を通って外方突出するノズル部分を嵌合させた。
【発明の効果】
【００１０】
請求項１記載のようにすることで、従来のようにカバーキャップに破断線付きの帯板等を付設しなくてもよく、よってカバーキャップの構造を簡易化でき、筒状のシュリンクフィルムを設けて該筒状シュリンクフィルム21をカバーキャップ11の周壁13下部外面へ嵌合させて該フィルムを熱収縮するだけでよいから、極めて容易にカバーキャップの割溝閉塞を行うことが出来る。尚容器の全体ないし容器体を除くノズル、カバーキャップ、装着筒の全体外面をシュリンクフィルムで収縮包装することも考えられるが、この場合に比べてフィルムの量を大きく軽減することが出来て経済的である。
【００１１】
請求項２のようにすることで消費者が使用に際して行う、収縮している筒状シュリンクフィルムの除去が容易である。
【００１２】
請求項３のようにすることで、収縮によりカバーキャップ周壁外面へ緊縛する筒状シュリンクフィルム21は、周壁へ縦設された下端面開口の縦割溝14の巾を狭めてその周壁内面を案内筒４外面へ圧接させることとなるから、凹凸の係合手段が外れることはなく、よって上記筒状シュリンクフィルムを破断して外さない限り、カバーキャップ11が押下げヘッドおよび案内筒４外面から外れることがない。
【００１３】
請求項４記載のようにすることで、外方突出するノズル７を覆合板16で保護することが出来、又従来のようにノズルは外方へ露出しないから、そのノズルを介してヘッドを押下げしようとする悪戯も防止出来る。
【００１４】
その他いずれの請求項の場合もカバーキャップ周壁の下部外面へ緊縛させた筒状シュリンクフィルム21が、いわゆるバージン機構を果たすこととなって収納液不使用状態にあることを消費者に保証できる。又熱収縮によりカバーキャップの周壁下部を緊縛する筒状シュリンクフィルムは、その周壁外面へ圧着するだけなのでその除去後、その周壁外面へ接着跡等を残すことがなく、外見が損なわれることがない。
【発明を実施するための最良の形態】
【００１５】
以下図面について説明する。まず従来公知の部分について簡単に説明すると、１は容器体でその容器体胴部の上端からは肩部を介して外面に雄ねじを有する口頸部２を起立する。
【００１６】
３は上記口頸部外面へ螺合させる装着筒で、該装着筒上端の内向きフランジ内周から案内筒４を起立する。
【００１７】
５は上記装着筒３の上端部内面へ、外向きフランジを嵌着させて容器体内へ垂下するシリンダで、該シリンダ下端からは吸上げパイプ６を垂下する。そのシリンダ内へ嵌合された筒状ピストンからはステムを起立し、該ステム上端へ嵌合させたノズル７付き押下げヘッド８を、上記案内筒４内へ、該ヘッド上部を上方突出させて位置させている。
【００１８】
11は、カバーキャップで頂板12外周から周壁13を垂下し、その周壁13前部へは、下端面開口の縦割溝14を縦設している。
【００１９】
そのカバーキャップ11は、図１が示すように装着筒３を容器体口頸部２外面へ螺合させ、案内筒４上方へ押下げヘッド８上部を突出させた状態から、その押下げヘッド８および案内筒４外面へ、カバーキャップ11を嵌合させる。該嵌合時、ノズル７は縦割溝14内に通して外方突出させる。
【００２０】
本発明にあっては、既述従来例における溝閉塞を、カバーキャップ11の周壁下部外面へ筒状シュリンクフィルム21を嵌合させ、該フィルムを加熱収縮させてその周壁の下部外面を緊縛させることで行った。その筒状シュリンクフィルム21の上端一部からは摘み片22を起立し、又その摘み片の側面下端からはミシン目状破断線23を垂下させた。その摘み片は筒状シュリンクフィルムの下端から垂下させてもよく、この場合はその摘み片側面の上端からミシン目状破断線を上昇させることとなる。
【００２１】
尚摘み片は、上記のようにシュリンクフィルムの上下いずれかの端面から上方又は下方へ突出させなくても、その摘み片両側のシュリンクフィルム端面部分へ下方ないし上方への切込みを穿設してそれ等切込み間の端面部分を摘み片とし、かつその切込みから破断線を下降又は上昇させてもよく、更にその破断線23は摘み片一方側面の端面部分へ１本だけ設けてもよい。
【００２２】
上記摘み片および破断線は必ずしも必要ではなく、これ等を設けない場合は、縦割溝14を塞ぐ、加熱収縮された筒状シュリンクフィルム部分をカッター等で切断すればよい。
【００２３】
本発明にあっては、その他案内筒４外面へ突条９を周設すると共にカバーキャップの周壁13内面へ、上記突条を嵌合させる凹溝15を周設して、これ等で凹凸の嵌合手段を形成した。それ等突条と凹溝とは逆に設けてもよい。
【００２４】
又既述縦割溝14上端からは、断面逆Ｕ字状の覆合板16を外方突出させて、該覆合板内へノズル７を着脱自在に嵌合させた。その覆合板先端面は蓋板16a で閉塞することが望ましい。
【図面の簡単な説明】
【００２５】
【図１】本発明容器の斜視図である。
【図２】図１容器の分解斜視図である。
【図３】従来容器の斜視図である。
【符号の説明】
【００２６】
３    装着筒                        ４    案内筒
７    ノズル                        ８    押下げヘッド
11    カバーキャップ                14    縦割溝
15    凹溝                          16    覆合板
21    筒状シュリンクフィルム        22    摘み片
23    ミシン目状破断線
【図１】
2005104493.tif 000003
【図２】
2005104493.tif 000004
【図３】
2005104493.tif 000005